(57)【要約】【課題】アプリケーションごとに、適した印刷設定に対するワンクリックアイコンを表示する情報処理装置、画像形成システム、プリンタドライバ及び記憶媒体を提供する。【解決手段】アプリケーションからの印刷要求を受けたときに、画像形成装置からワンクリックアイコン情報を取得するワンクリックアイコン情報取得手段と、アプリケーションからの印刷要求を受けたときに、アプリケーションからドキュメント情報を取得するドキュメント情報取得手段と、表示を行う表示手段と、を有し、ドキュメント情報取得手段により取得したドキュメント情報に基づき、ワンクリックアイコン情報を表示手段により表示する。【選択図】図１
2011059774.tif 000002
【特許請求の範囲】
【請求項１】
アプリケーションからの印刷要求を受けたときに、画像形成装置からワンクリックアイコン情報を取得するワンクリックアイコン情報取得手段と、
アプリケーションからの印刷要求を受けたときに、アプリケーションからドキュメント情報を取得するドキュメント情報取得手段と、を有し、
前記ドキュメント情報取得手段により取得したドキュメント情報に基づき、前記ワンクリックアイコン情報を表示装置により表示することを特徴とする情報処理装置。
【請求項２】
前記ワンクリックアイコン情報は、複数のアプリケーションそれぞれに適した印刷条件のワンクリックアイコンを含み、
前記ドキュメント情報取得手段により取得したドキュメント情報に基づき、前記アプリケーションに適した印刷条件のワンクリックアイコンを優先的に表示することを特徴する請求項１に記載の情報処理装置。
【請求項３】
ユーザを識別する情報を取得するユーザ識別情報取得手段を有し、
前記ワンクリックアイコン情報は、複数のユーザそれぞれに適した印刷条件のワンクリックアイコンを含み、
前記ユーザ識別情報取得手段により取得したユーザを識別する情報に基づき、当該ユーザに適した印刷条件のワンクリックアイコンを優先的に表示することを特徴する請求項１または２に記載の情報処理装置。
【請求項４】
前記ユーザから前記ワンクリックアイコン情報の表示における優先度に関する情報の入力を受ける入力手段を有し、
前記入力手段により入力された前記ワンクリックアイコン情報の表示における優先度に関する情報に基づき、前記ワンクリックアイコン情報を前記表示手段により表示することを特徴とする請求項１から３のいずれか１項に記載の情報処理装置。
【請求項５】
前記ドキュメント情報取得手段は、アプリケーションからの印刷要求を受けたときに、複数の画像形成装置からワンクリックアイコン情報を取得し、
前記表示手段は、前記ワンクリックアイコン情報を前記複数の画像形成装置と関連付けて表示することを特徴とする請求項１から４のいずれか１項に記載の情報処理装置。
【請求項６】
画像形成装置と情報処理装置とにより構成される画像形成システムであって、
前記画像形成装置は、ワンクリックアイコン情報を作成するワンクリックアイコン作成手段を有し、
前記情報処理装置は、アプリケーションからの印刷要求を受けたときに、前記画像形成装置から前記ワンクリックアイコン情報を取得するワンクリックアイコン情報取得手段と、
アプリケーションからの印刷要求を受けたときに、アプリケーションからドキュメント情報を取得するドキュメント情報取得手段と、
表示を行う表示手段と、を有し、
前記ドキュメント情報取得手段により取得したドキュメント情報に基づき、前記ワンクリックアイコン情報を前記表示手段により表示することを特徴とする画像形成システム。
【請求項７】
前記画像形成装置は、ワンクリックアイコン情報とこれまで使用された印刷条件設定の情報を複数のアプリケーションごとに記憶する記憶手段を有し、
前記画像形成装置の前記ワンクリックアイコン作成手段は、前記記憶手段により記憶された印刷条件設定の情報に基づいて、前記複数のアプリケーションそれぞれに適した印刷条件のワンクリックアイコンを作成し、
前記画像形成装置の前記記憶手段は、前記ワンクリックアイコン作成手段により作成された前記複数のアプリケーションそれぞれに適した印刷条件のワンクリックアイコンも前記ワンクリックアイコン情報として記憶し、
前記情報処理装置は、前記ドキュメント情報取得手段により取得したドキュメント情報に基づき、前記アプリケーションに適した印刷条件のワンクリックアイコンを優先的に表示することを特徴とする請求項６に記載の画像形成システム。
【請求項８】
前記画像形成装置の前記記憶手段は、これまで使用された印刷条件設定の情報を複数のユーザごとにも記憶していており、
前記画像形成装置の前記ワンクリックアイコン作成手段は、前記記憶手段により記憶された印刷条件設定の情報に基づいて、前記複数のユーザそれぞれに適した印刷条件のワンクリックアイコンを作成し、
前記画像形成装置の前記記憶手段は、前記ワンクリックアイコン作成手段により作成された前記複数のユーザそれぞれに適した印刷条件のワンクリックアイコンも前記ワンクリックアイコン情報として記憶し、
前記情報処理装置は、ユーザを識別する情報を取得するユーザ識別情報取得手段を有し、
前記ユーザ識別情報取得手段により取得したユーザを識別する情報に基づき、当該ユーザに適した印刷条件のワンクリックアイコンを優先的に表示することを特徴する請求項７または８に記載の画像形成システム。
【請求項９】
前記情報処理装置は、前記ユーザから前記ワンクリックアイコン情報の表示における優先度に関する情報の入力を受ける入力手段を有し、
前記入力手段により入力された前記ワンクリックアイコン情報の表示における優先度に関する情報に基づき、前記ワンクリックアイコン情報を前記表示手段により表示することを特徴とする請求項６から８のいずれか１項に記載の画像形成システム。
【請求項１０】
前記画像形成装置は、複数台であり、
前記情報処理装置の前記ドキュメント情報取得手段は、アプリケーションからの印刷要求を受けたときに、複数の画像形成装置からワンクリックアイコン情報を取得し、
前記情報装置の前記表示手段は、前記ワンクリックアイコン情報を前記複数の画像形成装置と関連付けて表示することを特徴とする請求項６から９のいずれか１項に記載の画像形成システム。
【請求項１１】
情報処理装置を、
アプリケーションからの印刷要求を受けたときに、画像形成装置からワンクリックアイコン情報を取得するワンクリックアイコン情報取得手段と、
アプリケーションからの印刷要求を受けたときに、アプリケーションからドキュメント情報を取得するドキュメント情報取得手段として機能させ、
前記ドキュメント情報取得手段により取得したドキュメント情報に基づき、前記ワンクリックアイコン情報を表示装置により表示することを特徴とするプリンタドライバ。
【請求項１２】
前記ワンクリックアイコン情報は、複数のアプリケーションそれぞれに適した印刷条件のワンクリックアイコンを含み、
前記ドキュメント情報取得手段により取得したドキュメント情報に基づき、前記アプリケーションに適した印刷条件のワンクリックアイコンを優先的に表示することを特徴する請求項１１に記載のプリンタドライバ。
【請求項１３】
前記情報処理装置を、
ユーザを識別する情報を取得するユーザ識別情報取得手段として機能させ、
前記ワンクリックアイコン情報は、複数のユーザそれぞれに適した印刷条件のワンクリックアイコンを含み、
前記ユーザ識別情報取得手段により取得したユーザを識別する情報に基づき、当該ユーザに適した印刷条件のワンクリックアイコンを優先的に表示することを特徴する請求項１１または１２に記載のプリンタドライバ。
【請求項１４】
前記情報処理装置を、
前記ユーザから前記ワンクリックアイコン情報の表示における優先度に関する情報の入力を受ける入力手段として機能させ、
前記入力手段により入力された前記ワンクリックアイコン情報の表示おける優先度に関する情報に基づき、前記ワンクリックアイコン情報を前記表示手段により表示することを特徴とする請求項１１から１３のいずれか１項に記載のプリンタドライバ。
【請求項１５】
前記ドキュメント情報取得手段は、アプリケーションからの印刷要求を受けたときに、複数の画像形成装置からワンクリックアイコン情報を取得し、
前記表示手段は、前記ワンクリックアイコン情報を前記複数の画像形成装置と関連付けて表示することを特徴とする請求項１１から１４のいずれか１項に記載のプリンタドライバ。
【請求項１６】
請求項１１から１５のいずれか１項に記載のプリンタドライバを記憶したコンピュータ読み取り可能な記憶媒体。
【発明の詳細な説明】
【技術分野】
【０００１】
本発明は、画像形成装置による印刷条件を設定する情報処理装置、画像形成システム、プリンタドライバ及び記憶媒体に関する。
【背景技術】
【０００２】
画像形成装置には、様々な機能が追加されるようになり、それらの機能を使い、様々な印刷条件で印刷を行うことができるようになった。しかし、これらの印刷条件の設定を行うことは、一般のユーザとっては簡単なことではない。
【０００３】
そこで、特許文献１では、様々な機能の組み合わせた印刷条件に対して、ワンクリックアイコンを作成し、このワンクリックアイコンを印刷設定画面に表示する方法が開示されている。この方法では、このワンクリックアイコンをクリックするだけにより印刷条件を設定できる。
【０００４】
この方法であれば、例えば、ユーザが、Ａ４に２ページを集約して両面印刷を行う、といった印刷条件を頻繁に使うのであれば、この印刷条件に対応したワンクリックアイコンを用意しておけば良い。このようにすることにより、印刷条件を設定するのにワンクリックアイコンをクリックするだけで良くなる。
【発明の概要】
【発明が解決しようとする課題】
【０００５】
しかしながら、特許文献１で開示された方法では、ワンクリックアイコンは、あらかじめ用意されているか、ユーザが自ら作成しなくてはならなかった。あらかじめ用意されたワンクリックアイコンだけでは、ユーザの要求に答えられない。また、自らワンクリックアイコンを作成するのは、複雑な作業が必要であり、一般のユーザには簡単なことではない。
【０００６】
そこで本発明は、上記問題点に鑑みてなされたもので、アプリケーションごとに、適した印刷設定に対するワンクリックアイコンを表示する情報処理装置、画像形成システム、プリンタドライバ及び記憶媒体を提供することを目的とする。
【課題を解決するための手段】
【０００７】
上記課題を解決するため、本発明における情報処理装置は、アプリケーションからの印刷要求を受けたときに、画像形成装置からワンクリックアイコン情報を取得するワンクリックアイコン情報取得手段と、アプリケーションからの印刷要求を受けたときに、アプリケーションからドキュメント情報を取得するドキュメント情報取得手段と、表示を行う表示手段と、を有し、前記ドキュメント情報取得手段により取得したドキュメント情報に基づき、前記ワンクリックアイコン情報を前記表示手段により表示することを特徴とする。
【０００８】
また、本発明における画像形成システムは、画像形成装置と情報処理装置とにより構成される画像形成システムであって、前記画像形成装置は、ワンクリックアイコン情報を作成するワンクリックアイコン作成手段を有し、前記情報処理装置は、アプリケーションからの印刷要求を受けたときに、前記画像形成装置から前記ワンクリックアイコン情報を取得するワンクリックアイコン情報取得手段と、アプリケーションからの印刷要求を受けたときに、アプリケーションからドキュメント情報を取得するドキュメント情報取得手段と、表示を行う表示手段と、を有し、前記ドキュメント情報取得手段により取得したドキュメント情報に基づき、前記ワンクリックアイコン情報を前記表示手段により表示することを特徴とする。
【０００９】
また、本発明におけるプリンタドライバは、情報処理装置を、アプリケーションからの印刷要求を受けたときに、画像形成装置からワンクリックアイコン情報を取得するワンクリックアイコン情報取得手段と、アプリケーションからの印刷要求を受けたときに、アプリケーションからドキュメント情報を取得するドキュメント情報取得手段と、表示を行う表示手段として機能させ、前記ドキュメント情報取得手段により取得したドキュメント情報に基づき、前記ワンクリックアイコン情報を前記表示手段により表示することを特徴とする。
【００１０】
また、本発明における記憶媒体は、上記本発明におけるプリンタドライバを記憶し、コンピュータ読み取り可能である。
【発明の効果】
【００１１】
本発明により、アプリケーションごとに、適した印刷設定に対するワンクリックアイコンを表示することができる。
【図面の簡単な説明】
【００１２】
【図１】本発明の実施形態に係る画像形成システムの構成を示す図である。
【図２】本発明の実施形態に係る画像形成装置によるワンクリックアイコンの作成を説明する図である。
【図３】本発明の実施形態に係る画像形成装置の作成するワンクリックアイコン情報の例を示す図である。
【図４】本発明の実施形態に係るプリンタドライバがアプリケーションから受け取るドキュメントの種類の情報の例を示す図である。
【図５】本発明の実施形態に係る画像形成装置からプリンタドライバに返されるワンクリックアイコン情報の例を示す図である。
【図６】本発明の実施形態に係るユーザインタフェースの例を示す図である。
【図７】本発明の実施形態に係るプリンタドライバにおける処理動作を示す図である。
【発明を実施するための形態】
【００１３】
次に、発明を実施するための形態について図面を参照して詳細に説明する。
【００１４】
図１は、本発明の実施形態に係る画像形成システムの構成を示す図である。画像形成装置１と情報処理装置２により構成されている。画像形成装置１は、記憶手段としてハードディスク１１を備えている。情報処理装置２は、アプリケーション２１とプリンタドライバ２２とユーザインタフェース２３により構成されている。アプリケーション２１は、ＷＯＲＤやＥＸＣＥＬなどの情報処理装置２上で動くソフトウェアである。ユーザインタフェース２３は、ユーザに情報を表示する表示手段と、ユーザからの情報の入力を受ける入力手段とを備える。
【００１５】
画像形成装置１は、画像形成装置１内の情報を活用して、ワンクリックアイコン情報を作成する。図２は、本発明の実施形態に係る画像形成装置によるワンクリックアイコンの作成を説明する図である。画像形成装置１内の情報としては、図２に示すように、例えば、（１）トレイ情報：どのようなトレイが存在しているのかの情報、（２）用紙サイズ情報：どのような用紙サイズの用紙が存在しているのかの情報、（３）トナー情報：トナー残量の情報、（４）仕上げ機能情報：どのような仕上げ機能が存在しているのかの情報、（５）印刷履歴情報：過去に使用した印刷設定の情報、過去に使用したアプリケーション２１との組み合わせの情報、ユーザ情報など、（６）ワンクリックアイコン候補情報：ワンクリックアイコンとして使用する候補の情報、などがある。画像形成装置１は、この作成されたワンクリックアイコン情報を、画像形成装置１のハードディスク１１などの記憶手段により記憶させておく。
【００１６】
仕上げ機能のとしては、両面印刷機能、ステープルで綴じる機能、パンチ穴を開ける機能などがある。トレイ情報と用紙サイズ情報は、トレイから得ることができる。画像形成装置１は、印刷履歴情報を画像形成装置１のハードディスク１１などの記憶手段により記憶するようにし、印刷履歴情報をこの記憶手段から取得するようにすると良い。また、ワンクリックアイコン候補情報も、画像形成装置１のハードディスク１１などの記憶手段により記憶しておき、その中から取捨選択できるようにしておくと良い。
【００１７】
印刷履歴情報を記憶しておき、この記憶された印刷履歴情報を参照することにより、特定のアプリケーション２１により印刷を実行したときに、過去にどのような設定を行ったかを調査ができる。よって、この調査結果に基づいて、ユーザインタフェース２３に表示すべき最適なワンクリックアイコンを作成することができる。
【００１８】
例えば、印刷履歴情報を調査することにより、「ＷＯＲＤ文書を印刷するユーザは、Ａ４、モノクロの設定で印刷することが多い」といった情報を取得することができる。このようなときは、ＷＯＲＤで印刷する場合は、「Ａ４の用紙にモノクロ印刷をする」というワンクリックアイコンを提供するようにするようにすると良い。このようにすることにより、ＷＯＲＤにおいて印刷するために印刷設定を行う際に、このワンクリックアイコンがユーザインタフェース２３に表示され、ユーザは、このワンクリックアイコンをクリックするだけで「Ａ４の用紙にモノクロ印刷をする」印刷設定を行うことが可能になる。そこで、ＷＯＲＤを使用する際のワンクリックアイコン候補を、「Ａ４の用紙にモノクロ印刷をする」のワンクリックアイコンとして、ハードディスク１１に記憶しておく。
【００１９】
上記のように、アプリケーション２１ごとにどのような印刷設定されていたかを記述した印刷履歴情報を記憶するようにしておけば、画像形成装置１は、この印刷履歴情報に基づいて、アプリケーション２１ごとのワンクリックアイコンを自動的に作成することができる。
【００２０】
また、印刷履歴情報により、ユーザごとにどのような設定を使用しているのかも調査することができる。例えば、この調査により、あるユーザが「両面印刷機能」や「集約印刷機能」などを好んで使用していることがわかれば、このユーザには、「集約をして両面印刷をする」というワンクリックアイコンを提供するようにすることにする。このようにすることにより、このユーザが印刷設定を行う際に、このワンクリックアイコンがユーザインタフェース２３に表示され、ユーザは、このワンクリックアイコンをクリックするだけで「集約して両面印刷をする」印刷設定を行うことが可能になる。そこで、このユーザが使用する際のワンクリックアイコン候補を、「集約して両面印刷をする」のワンクリックアイコンとして、ハードディスク１１に記憶しておく。
【００２１】
上記のように、ユーザごとにどのような印刷設定されていたかを記述した印刷履歴情報を記憶するようにしておけば、画像形成装置１は、この印刷履歴情報に基づいて、ユーザごとのワンクリックアイコンを自動的に作成することができる。
【００２２】
画像形成装置１がワンクリックアイコンを作成するタイミングとしては、いろいろと考えられるが、例えば、（１）画像形成装置１の電源が入れられたとき、（２）画像形成装置１の設定が変更されたとき、などが考えられる。
【００２３】
図３は、本発明の実施形態に係る画像形成装置の作成するワンクリックアイコン情報の例を示す図である。ワンクリックアイコン情報の例としては、図３に示すように、（１）アイコンタイトル：アイコンの名前、（２）コメント：アイコンタイトルについてのコメント、（３）設定数：このアイコンで設定できる設定の数、（４）設定リスト：このアイコンで設定する設定のリスト、（４）プリンタ情報：印刷速度、画像形成装置１の設置場所などの画像形成装置１についての情報、などが考えられる。このような情報を画像形成装置１に１つ以上保存しておく。
【００２４】
他にも、アイコンタイトル、コメントの言語を指定したり、複数言語のタイトルを持たせたりすることも考えられる。また、言語についての情報は、プリンタドライバ１２に持たせ、タイトルＩＤだけを持たせる方法も考えられる。
【００２５】
例えば、トレイにＡ４の用紙がセットされたときに、図３に示すようなワンクリックアイコンが作成されるようにすると良い。図３における「コメント」欄は、ワンクリックアイコンに対するコメントを記述する欄である。この「コメント」欄の情報は、設定情報により作成する。また、「コメント」欄は、空でも良い。
【００２６】
あらかじめ、画像形成装置１により作成可能なワンクリックアイコン情報を登録しておき、その時点で使用可能なものだけを、ハードディスク１１の特定の場所に置く方法も考えられる。この場合、タイトルやコメントはあらかじめ用意しておける。
【００２７】
なお、ワンクリックアイコン情報は、上記のように自動的に作成させる方法以外にも、画像形成装置１の管理者が登録しておきたいワンクリックアイコンを、画像形成装置１のパネルから設定する方法も考えられる。このとき、画像形成装置１により作成可能なワンクリックアイコン情報をパネルに表示し、管理者にどの情報を使用可能にするか選択させる。この場合、プリンタドライバのユーザに使わせたいワンクリックアイコン、使わせたくないワンクリックアイコンを画像形成装置１の管理者が指定できるため便利である。例えば、経費節減のため、モノクロ設定のワンクリックアイコンを使わせたい場合、そのアイコンだけを登録させておくようにすれば良い。
【００２８】
プリンタドライバ２２は、アプリケーション２１から印刷設定依頼とともに、ドキュメントの情報を受け取る。ドキュメントの情報としては、例えば、（１）ドキュメントの用紙サイズ、（２）ドキュメントのカラー設定、（３）ドキュメントの種類（ＷＯＲＤファイルなのか、ＥＸＣＥＬファイルなのか、テキストファイルなのか）、などが考えられる。図４は、プリンタドライバ２２がアプリケーション２１から受け取るドキュメントの種類の情報の例を示す図である。
【００２９】
プリンタドライバ２２は、Devmodeを参照することにより、アプリケーション２１から用紙サイズ、カラー設定を取得することができる。
【００３０】
ドキュメント種類の情報を受け取る方法として、例えば、ドキュメント名からドキュメント種類を特定する方法が考えられる。プリンタドライバ２２は、ドキュメント名は簡単に取得できる。図４に示すように、プリンタドライバ２２がファイル形式ごとの拡張子とドキュメントの種類についてのテーブルを保持しておき、ドキュメント名の中にテーブルにある拡張子が入っている場合に、その拡張子に対応するドキュメント種類であると判断するようにすると良い。例えば、ドキュメント名が、「ＸＸＸ.doc」であれば、このドキュメントはＷＯＲＤ文書であると判断することができる。
【００３１】
または、ドキュメントの種類の情報をアプリケーション２１側であらかじめドキュメント名文字列のうしろに付加するようにしても良い。このとき、プリンタドライバ２２が、この付加されたドキュメント種類情報を探し、ドキュメント情報を判断するようにするというルールを、アプリケーション２１とプリンタドライバ２２の間で決めておく。このようにして、プリンタドライバ２２が、ドキュメント種類情報をアプリケーション２１から受け取るようにすることも可能である。
【００３２】
また、プリンタドライバ２２とアプリケーション２１がPrintTicketに対応している場合は、PrintTicketの中にドキュメント種類情報を入れておくことによって、アプリケーション２１からプリンタドライバ２２にドキュメント種類情報を伝えることも可能である。
【００３３】
プリンタドライバ２２は、画像形成装置１に、ワンクリックアイコン情報を問い合わせる。この問い合わせのタイミングとしては、例えば、ドキュメントプロパティユーザインタフェース２３が開いた瞬間などが考えられる。問い合わせの方法は、従来知られている技術を使用する。
【００３４】
プリンタドライバ２２からワンクリックアイコン情報の問い合わせを受けると、画像形成装置１は、プリンタドライバ２２にワンクリックアイコン情報を返す。画像形成装置１は、例えば、図５に示すように、ワンクリックアイコン情報をＭＩＢの構成にして返す。このように、ＭＩＢにすることにより、ワンクリックアイコン情報の構造が扱い易くなる。また、ＭＩＢにすることにより、画像形成装置１からそのような形で送ることも、画像形成装置１がそれを受け取って情報を得ることも可能になる。また、この方法であれば、ワンクリックアイコンの情報のサイズによらず送ること可能になる。
【００３５】
プリンタドライバ２２は、画像形成装置１から受け取ったワンクリックアイコン情報をユーザインタフェース２３に整理して表示する。
【００３６】
ワンクリックアイコン情報の整理の仕方としては、プリンタドライバ２２がアプリケーション２１から受け取ったドキュメント情報とワンクリックアイコン情報に基づいて整理するという方法である。例えば、プリンタドライバ２２がＷＯＲＤ文書に対する印刷設定要求を受け取った場合、この印刷設定要求とともに、このＷＯＲＤ文書のドキュメント情報も同時に受け取る。例えば、このＷＯＲＤ文書のドキュメント情報にドキュメントの用紙サイズとして、「Ａ４」と記載されているならば、印刷用紙としてＡ４を選択する印刷条件のワンクリックアイコンをユーザインタフェース２３に優先的に表示するようにする。つまり、プリンタドライバ２２は、画像形成装置１から受け取ったワンクリックアイコン情報の中から、受け取ったドキュメント情報の内容に基づき、ワンクリックアイコンの表示順を決定し、この決定された順序によりワンクリックアイコンをユーザインタフェース２３に表示するようにする。
【００３７】
また、上述したように、画像形成装置１にユーザごとの印刷履歴情報が記憶されているときは、このユーザごとの印刷履歴情報を用いるようにしても良い。上述したように、このユーザごとの印刷履歴情報を基づいて、作成された、ユーザごとのワンクリックアイコン候補の情報も、プリンタドライバ２２は、画像形成装置１からワンクリックアイコン情報として送信される。また、プリンタドライバ２２は、ユーザが情報処理装置２にログインしたときのログインユーザ名など、ユーザ識別情報も取得しておく。そして、このユーザに対するワンクリックアイコン候補が画像形成装置１から受け取ったワンクリック情報に含まれているときは、このワンクリックアイコン候補に含まれるワンクリックアイコンを優先的に表示するようにする。このようにすることにより、ユーザが頻繁に使用する設定に対するワンクリックアイコンが見やすい位置に表示されることになり、利便性が増す。
【００３８】
また、プリンタドライバ２２は、ユーザからあらかじめワンクリックアイコンの表示の優先度に対する情報の入力をユーザインタフェース２３から受けておき、この優先度に基づいてワンクリックアイコンを表示するようにしても良い。また、ユーザがあまり重要でないと考えるワンクリックアイコンを不要であるとして、表示させないように設定できるようにしても良い。例えば、図６に示すような設定画面により、ユーザから優先度の入力を受けるようにする。図６では、例えば、両面印刷、ステープル、集約印刷のワンクリックアイコンに対する優先度を設定することができる。また、図６では、ワンクリックアイコンの表示数、表示されるワンクリックアイコンの更新のタイミング、どの画像形成装置１に対するワンクリックアイコンを表示するのか、を設定することができる。このようにすることにより、ユーザが使用したいワンクリックアイコンを見やすい位置に表示することができるようになる。
【００３９】
情報処理装置２に画像形成装置が複数台接続されている場合は、近くの環境に存在する画像形成装置を検索しておき、検索されたすべての画像形成装置に、ワンクリックアイコン情報を問い合わせるようにしても良い。このときは、それぞれのワンクリックアイコンがどの画像形成装置に対するものなのかをわかるようにユーザインタフェース２３に表示する。
【００４０】
また、このとき、例えば、（１）複数の画像形成装置で重複した情報は表示しない、（２）印刷速度の速い画像形成装置順に表示する、（３）トナー残量の多い画像形成装置順に表示する、（４）用紙残量の多い画像形成装置順に表示する、（５）特定の画像形成装置のワンクリックアイコンだけを表示する、などの設定をユーザにより行えるようにしても良い。
【００４１】
以上のように、画像形成装置から受け取ったワンクリックアイコン情報と、アプリケーションから受け取ったドキュメント情報と、ユーザにより設定される優先度などの情報と、に基づいて、ワンクリックアイコンをユーザインタフェース２３に表示することより、よりユーザ利便性の高いワンクリックアイコンを表示することができるようになる。のユーザインタフェース２３に表示される順番などは自動的に行われるため、ユーザは複雑な作業を行わなくても良い。
【００４２】
図７は、本発明の実施形態に係るプリンタドライバにおける処理動作を示す図である。プリンタドライバ２２は、アプリケーション２１からドキュメント情報を取得する（Ｓ７０１）。次に、画像形成装置にワンクリックアイコン情報を問い合わせ、画像形成装置１からワンクリックアイコン情報を取得する（Ｓ７０２）。そして、このドキュメント情報とワンクリックアイコン情報に基づいて、ワンクリックアイコンを整理し、ユーザインタフェース２３への表示順を決定する（Ｓ７０３）。ユーザインタフェース２３にワンクリックアイコンを決定された表示順で表示する（Ｓ７０４）。
【００４３】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４４】
また、本発明における情報処理装置は、前記ワンクリックアイコン情報は、複数のアプリケーションそれぞれに適した印刷条件のワンクリックアイコンを含み、前記ドキュメント情報取得手段により取得したドキュメント情報に基づき、前記アプリケーションに適した印刷条件のワンクリックアイコンを優先的に表示するようにしても良い。
【００４５】
また、本発明における情報処理装置は、ユーザを識別する情報を取得するユーザ識別情報取得手段を有し、前記ワンクリックアイコン情報は、複数のユーザそれぞれに適した印刷条件のワンクリックアイコンを含み、前記ユーザ識別情報取得手段により取得したユーザを識別する情報に基づき、当該ユーザに適した印刷条件のワンクリックアイコンを優先的に表示するようにしても良い。
【００４６】
また、本発明における情報処理装置は、前記ユーザから前記ワンクリックアイコン情報の表示における優先度に関する情報の入力を受ける入力手段を有し、前記入力手段により入力された前記ワンクリックアイコン情報の表示における優先度に関する情報に基づき、前記ワンクリックアイコン情報を前記表示手段により表示するようにしても良い。
【００４７】
また、本発明における情報処理装置は、前記ドキュメント情報取得手段は、アプリケーションからの印刷要求を受けたときに、複数の画像形成装置からワンクリックアイコン情報を取得し、前記表示手段は、前記ワンクリックアイコン情報を前記複数の画像形成装置と関連付けて表示するようにしても良い。
【００４８】
また、本発明における画像形成システムは、前記画像形成装置は、ワンクリックアイコン情報とこれまで使用された印刷条件設定の情報を複数のアプリケーションごとに記憶する記憶手段を有し、前記画像形成装置の前記ワンクリックアイコン作成手段は、前記記憶手段により記憶された印刷条件設定の情報に基づいて、前記複数のアプリケーションそれぞれに適した印刷条件のワンクリックアイコンを作成し、前記画像形成装置の前記記憶手段は、前記ワンクリックアイコン作成手段により作成された前記複数のアプリケーションそれぞれに適した印刷条件のワンクリックアイコンも前記ワンクリックアイコン情報として記憶し、前記情報処理装置は、前記ドキュメント情報取得手段により取得したドキュメント情報に基づき、前記アプリケーションに適した印刷条件のワンクリックアイコンを優先的に表示するようにしても良い。
【００４９】
また、本発明における画像形成システムは、前記画像形成装置の前記記憶手段は、これまで使用された印刷条件設定の情報を複数のユーザごとにも記憶していており、前記画像形成装置の前記ワンクリックアイコン作成手段は、前記記憶手段により記憶された印刷条件設定の情報に基づいて、前記複数のユーザそれぞれに適した印刷条件のワンクリックアイコンを作成し、前記画像形成装置の前記記憶手段は、前記ワンクリックアイコン作成手段により作成された前記複数のユーザそれぞれに適した印刷条件のワンクリックアイコンも前記ワンクリックアイコン情報として記憶し、前記情報処理装置は、ユーザを識別する情報を取得するユーザ識別情報取得手段を有し、前記ユーザ識別情報取得手段により取得したユーザを識別する情報に基づき、当該ユーザに適した印刷条件のワンクリックアイコンを優先的に表示するようにしても良い。
【００５０】
また、本発明における画像形成システムは、前記情報処理装置は、前記ユーザから前記ワンクリックアイコン情報の表示における優先度に関する情報の入力を受ける入力手段を有し、前記入力手段により入力された前記ワンクリックアイコン情報の表示における優先度に関する情報に基づき、前記ワンクリックアイコン情報を前記表示手段により表示するようにしても良い。
【００５１】
また、本発明における画像形成システムは、前記画像形成装置は、複数台であり、前記情報処理装置の前記ドキュメント情報取得手段は、アプリケーションからの印刷要求を受けたときに、複数の画像形成装置からワンクリックアイコン情報を取得し、前記情報装置の前記表示手段は、前記ワンクリックアイコン情報を前記複数の画像形成装置と関連付けて表示するようにしても良い。
【００５２】
また、本発明におけるプリンタドライバは、前記ワンクリックアイコン情報は、複数のアプリケーションそれぞれに適した印刷条件のワンクリックアイコンを含み、前記ドキュメント情報取得手段により取得したドキュメント情報に基づき、前記アプリケーションに適した印刷条件のワンクリックアイコンを優先的に表示するようにしても良い。
【００５３】
また、本発明におけるプリンタドライバは、前記情報処理装置を、ユーザを識別する情報を取得するユーザ識別情報取得手段として機能させ、前記ワンクリックアイコン情報は、複数のユーザそれぞれに適した印刷条件のワンクリックアイコンを含み、前記ユーザ識別情報取得手段により取得したユーザを識別する情報に基づき、当該ユーザに適した印刷条件のワンクリックアイコンを優先的に表示するようにしても良い。
【００５４】
また、本発明におけるプリンタドライバは、前記情報処理装置を、前記ユーザから前記ワンクリックアイコン情報の表示における優先度に関する情報の入力を受ける入力手段として機能させ、前記入力手段により入力された前記ワンクリックアイコン情報の表示おける優先度に関する情報に基づき、前記ワンクリックアイコン情報を前記表示手段により表示するようにしても良い。
【００５５】
また、本発明におけるプリンタドライバは、前記ドキュメント情報取得手段は、アプリケーションからの印刷要求を受けたときに、複数の画像形成装置からワンクリックアイコン情報を取得し、前記表示手段は、前記ワンクリックアイコン情報を前記複数の画像形成装置と関連付けて表示するようにしても良い。
【符号の説明】
【００５６】
１    画像形成装置
１１    ハードディスク
２    情報処理装置
２１    アプリケーション
２２    プリンタドライバ
２３    ユーザインタフェース
【先行技術文献】
【特許文献】
【００５７】
【特許文献１】特開２００８−２５１０４６号公報
【図１】
2011059774.tif 000003
【図２】
2011059774.tif 000004
【図３】
2011059774.tif 000005
【図４】
2011059774.tif 000006
【図５】
2011059774.tif 000007
【図６】
2011059774.tif 000008
【図７】
2011059774.tif 000009